(57)【要約】【課題】ｐＨによって解離状態が変化する酸化性溶液に対しても適正な還元剤の注入量で還元処理を良好に行うことができる還元処理装置および還元処理方法を提供すること。【解決手段】反応槽１に貯留してある酸化性溶液に対して還元剤を注入することにより該溶液の還元処理を行う還元処理装置において、溶液中の遊離塩素濃度が０．２ｍｇ／Ｌ以下にあることを規定するｐＨ値毎に決められた酸化還元電位基準値を記憶する設定記憶部２１を有し、還元処理指令が与えられた場合に、還元剤を注入させ、かつ必要に応じてｐＨ調整剤を注入させることにより溶液のｐＨ値を所定範囲に調整し、ｐＨ調整後の溶液の酸化還元電位値が対応するｐＨ値の酸化還元電位基準値を超えるときには還元剤を注入させる一方、酸化還元電位基準値以下となるときには還元処理を終了する制御部２０を備えている。【選択図】        図１
2009189933.tif 000002
【特許請求の範囲】
【請求項１】
酸化性溶液に対して還元剤を注入するための還元剤注入手段と、
前記酸化性溶液に対してｐＨ調整剤を注入するためのｐＨ調整剤注入手段と
を備え、
前記還元剤注入手段による還元剤の注入により前記酸化性溶液の還元処理を行う還元処理装置において、
前記溶液中の対象となる酸化性残留物質濃度が許容範囲にあることを規定するｐＨ値毎に決められた酸化還元電位基準値を記憶する記憶手段を有し、
還元処理指令が与えられた場合に、前記還元剤注入手段を通じて還元剤を注入させ、かつ必要に応じて前記ｐＨ調整剤注入手段を通じてｐＨ調整剤を注入させることにより前記溶液のｐＨ値を所定範囲に調整し、ｐＨ調整後の溶液の酸化還元電位値が、前記記憶手段に記憶する対応するｐＨ値の酸化還元電位基準値を超えるときには前記還元剤注入手段を通じて還元剤を注入させる一方、前記酸化還元電位基準値以下となるときには還元処理を終了する制御手段を備えたことを特徴とする還元処理装置。
【請求項２】
酸化性溶液に対して還元剤を注入するための還元剤注入手段を備え、該還元剤注入手段による還元剤の注入により前記酸化性溶液の還元処理を行う還元処理装置において、
前記溶液中の対象となる酸化性残留物質濃度が許容範囲にあることを規定するｐＨ値毎に決められた酸化還元電位基準値を記憶する記憶手段を有し、
還元処理指令が与えられた場合に、前記還元剤注入手段を通じて還元剤を注入させ、還元剤注入後に検出された前記溶液の酸化還元電位値およびｐＨ値と、前記記憶手段に記憶する酸化還元電位基準値とを比較して、検出された酸化還元電位値が、対応するｐＨ値の酸化還元電位基準値を超えるときには前記還元剤注入手段を通じて還元剤を注入させる一方、前記酸化還元電位基準値以下となるときには還元処理を終了する制御手段を備えたことを特徴とする還元処理装置。
【請求項３】
前記制御手段は、検出された酸化還元電位値が対応するｐＨ値の酸化還元電位基準値以下となる場合には、前記反応槽内の溶液を中和する処理を行うことを特徴とする請求項２に記載の還元処理装置。
【請求項４】
前記制御手段は、ｐＨによって解離状態が変化する酸化剤を含有した酸化性溶液に還元処理を行うことを特徴とする請求項１〜３のいずれか一つに記載の還元処理装置。
【請求項５】
前記酸化性溶液に含有される酸化剤は、次亜塩素酸ナトリウムであることを特徴とする請求項４に記載の還元処理装置。
【請求項６】
前記制御手段は、膜により被処理水を濾過する装置の膜の洗浄に使用された洗浄液の排水である酸化性溶液に還元処理を行うことを特徴とする請求項１〜５のいずれか一つに記載の還元処理装置。
【請求項７】
酸化性溶液に対して還元剤、並びに必要に応じてｐＨ調整剤を注入することにより前記酸化性溶液の還元処理を行う還元処理方法において、
前記酸化性溶液に対して還元剤を注入した後に、必要に応じてｐＨ調整剤を注入して該溶液のｐＨ値を所定範囲に調整する調整処理工程と、
前記調整処理工程後の溶液から検出された酸化還元電位値と、前記溶液中の対象となる酸化性残留物質濃度が許容範囲にあることを規定するｐＨ毎に決められた酸化還元電位基準値とを比較して、検出された酸化還元電位値が、対応するｐＨ値の酸化還元電位基準値を超えるときには還元剤を注入する一方、前記酸化還元電位基準値以下となるときには還元剤の注入を終了する比較処理工程と
を含むことを特徴とする還元処理方法。
【請求項８】
酸化性溶液に対して還元剤を注入することにより前記酸化性溶液の還元処理を行う還元処理方法において、
前記酸化性溶液に対して還元剤を注入する注入処理工程と、
前記注入処理工程後の溶液から検出された酸化還元電位値およびｐＨ値と、前記溶液中の対象となる酸化性残留物質濃度が許容範囲にあることを規定するｐＨ値毎に決められた酸化還元電位基準値とを比較して、検出された酸化還元電位値が、対応するｐＨ値の酸化還元電位基準値を超えるときには前記還元剤を注入する一方、前記酸化還元電位基準値以下となるときには還元剤の注入を終了する還元工程と
を含むことを特徴とする還元処理方法。
【請求項９】
前記還元工程で還元剤の注入を終了した後、前記反応槽内の溶液を中和する中和処理工程を含むことを特徴とする請求項８に記載の還元処理方法。
【請求項１０】
前記酸化性溶液は、ｐＨによって解離状態が変化する酸化剤を含有した酸化性溶液であることを特徴とする請求項７〜９のいずれか一つに記載の還元処理方法。
【請求項１１】
前記酸化性溶液に含まれる酸化剤は、次亜塩素酸ナトリウムであることを特徴とする請求項１０に記載の還元処理方法。
【請求項１２】
前記酸化性溶液は、膜により被処理水を濾過する装置の膜の洗浄に使用された洗浄液の排水であることを特徴とする請求項７〜１１のいずれか一つに記載の還元処理方法。
【発明の詳細な説明】
【技術分野】
【０００１】
本発明は、還元処理装置および還元処理方法に関し、より詳細には、例えば次亜塩素酸ナトリウム等の酸化剤を含有してなる酸化性溶液、すなわちｐＨによって解離状態が変化する酸化性溶液に対し、還元剤を注入することにより該溶液の還元処理を行う還元処理装置および還元処理方法の改良に関する。
【背景技術】
【０００２】
従来、反応槽に貯留してある酸化性溶液に対して還元剤を注入することにより該溶液の還元処理を行う還元処理装置として、ｐＨ検出手段、酸化還元電位検出手段、還元剤注入手段および補正手段が備えられたものが知られている。
【０００３】
ｐＨ検出手段は、反応槽に貯留してある溶液のｐＨ値を検出するためのものである。酸化還元電位検出手段は、反応槽に貯留してある溶液の酸化還元電位値を検出するためのものである。還元剤注入手段は、反応槽に貯留してある酸化性溶液に対して還元剤を注入するためのものである。補正手段は、ｐＨ検出手段を通じて検出されたｐＨ値と予め決められた基準ｐＨ値であるｐＨ７との差に基づき、酸化還元電位検出手段を通じて検出された酸化還元電位値を基準ｐＨ値（ｐＨ７）のときの酸化還元電位値に補正するためのものである。
【０００４】
このような還元処理装置においては、ｐＨ検出手段を通じて反応槽に貯留してある酸化性溶液のｐＨ値を検出し、検出したｐＨ値（以下、検出ｐＨ値とも称する）と、基準ｐＨ値との差に基づいて補正手段を通じて検出した酸化還元電位値を基準ｐＨ値のときの酸化還元電位値に補正し、該補正した酸化還元電位値により還元剤注入手段を通じて還元剤を注入し、酸化性溶液の還元処理を行うものである（例えば、特許文献１参照）。
【０００５】
【特許文献１】特開昭６３−２００３３号公報
【発明の開示】
【発明が解決しようとする課題】
【０００６】
ところで、上述した特許文献１に提案されている還元処理装置では、検出ｐＨ値と基準ｐＨ値との差に基づいて検出した酸化還元電位値を基準ｐＨ値のときの酸化還元電位値に補正しているが、これは還元対象となる溶液は、酸化還元電位値とｐＨ値との間に略直線的に変位する関係が成立することを前提にして決められたものである。一方、例えば次亜塩素酸ナトリウム等の酸化剤を含有する酸化性溶液のようにｐＨによって解離状態が変化する酸化性溶液については、酸化還元電位値とｐＨ値との間に略直線的に変位する関係が成立するか否かは定かではなく、上述した還元処理装置では、ｐＨによって解離状態が変化する酸化性溶液に対して適正な還元剤の注入量で良好に還元処理を行うことができない虞れがあった。
【０００７】
本発明は、上記実情に鑑みて、ｐＨによって解離状態が変化する酸化性溶液に対しても適正な還元剤の注入量で還元処理を良好に行うことができる還元処理装置および還元処理方法を提供することを目的とする。
【課題を解決するための手段】
【０００８】
上記目的を達成するために、本発明の請求項１に係る還元処理装置は、酸化性溶液に対して還元剤を注入するための還元剤注入手段と、前記酸化性溶液に対してｐＨ調整剤を注入するためのｐＨ調整剤注入手段とを備え、前記還元剤注入手段による還元剤の注入により前記酸化性溶液の還元処理を行う還元処理装置において、前記溶液中の対象となる酸化性残留物質濃度が許容範囲にあることを規定するｐＨ値毎に決められた酸化還元電位基準値を記憶する記憶手段を有し、還元処理指令が与えられた場合に、前記還元剤注入手段を通じて還元剤を注入させ、かつ必要に応じて前記ｐＨ調整剤注入手段を通じてｐＨ調整剤を注入させることにより前記溶液のｐＨ値を所定範囲に調整し、ｐＨ調整後の溶液の酸化還元電位値が、前記記憶手段に記憶する対応するｐＨ値の酸化還元電位基準値を超えるときには前記還元剤注入手段を通じて還元剤を注入させる一方、前記酸化還元電位基準値以下となるときには還元処理を終了する制御手段を備えたことを特徴とする。
【０００９】
また、本発明の請求項２に係る還元処理装置は、酸化性溶液に対して還元剤を注入するための還元剤注入手段を備え、該還元剤注入手段による還元剤の注入により前記酸化性溶液の還元処理を行う還元処理装置において、前記溶液中の対象となる酸化性残留物質濃度が許容範囲にあることを規定するｐＨ値毎に決められた酸化還元電位基準値を記憶する記憶手段を有し、還元処理指令が与えられた場合に、前記還元剤注入手段を通じて還元剤を注入させ、還元剤注入後に検出された前記溶液の酸化還元電位値およびｐＨ値と、前記記憶手段に記憶する酸化還元電位基準値とを比較して、検出された酸化還元電位値が、対応するｐＨ値の酸化還元電位基準値を超えるときには前記還元剤注入手段を通じて還元剤を注入させる一方、前記酸化還元電位基準値以下となるときには還元処理を終了する制御手段を備えたことを特徴とする。
【００１０】
また、本発明の請求項３に係る還元処理装置は、上述した請求項２において、前記制御手段は、検出された酸化還元電位値が対応するｐＨ値の酸化還元電位基準値以下となる場合には、前記反応槽内の溶液を中和する処理を行うことを特徴とする。
【００１１】
また、本発明の請求項４に係る還元処理装置は、上述した請求項１〜３のいずれか一つにおいて、前記制御手段は、ｐＨによって解離状態が変化する酸化剤を含有した酸化性溶液に還元処理を行うことを特徴とする。
【００１２】
また、本発明の請求項５に係る還元処理装置は、上述した請求項４において、前記酸化性溶液に含有される酸化剤は、次亜塩素酸ナトリウムであることを特徴とする。
【００１３】
また、本発明の請求項６に係る還元処理装置は、上述した請求項１〜５のいずれか一つにおいて、前記制御手段は、膜により被処理水を濾過する装置の膜の洗浄に使用された洗浄液の排水である酸化性溶液に還元処理を行うことを特徴とする。
【００１４】
また、本発明の請求項７に係る還元処理方法は、酸化性溶液に対して還元剤、並びに必要に応じてｐＨ調整剤を注入することにより前記酸化性溶液の還元処理を行う還元処理方法において、前記酸化性溶液に対して還元剤を注入した後に、必要に応じてｐＨ調整剤を注入して該溶液のｐＨ値を所定範囲に調整する調整処理工程と、前記調整処理工程後の溶液から検出された酸化還元電位値と、前記溶液中の対象となる酸化性残留物質濃度が許容範囲にあることを規定するｐＨ毎に決められた酸化還元電位基準値とを比較して、検出された酸化還元電位値が、対応するｐＨ値の酸化還元電位基準値を超えるときには還元剤を注入する一方、前記酸化還元電位基準値以下となるときには還元剤の注入を終了する比較処理工程とを含むことを特徴とする。
【００１５】
また、本発明の請求項８に係る還元処理方法は、酸化性溶液に対して還元剤を注入することにより前記酸化性溶液の還元処理を行う還元処理方法において、前記酸化性溶液に対して還元剤を注入する注入処理工程と、前記注入処理工程後の溶液から検出された酸化還元電位値およびｐＨ値と、前記溶液中の対象となる酸化性残留物質濃度が許容範囲にあることを規定するｐＨ値毎に決められた酸化還元電位基準値とを比較して、検出された酸化還元電位値が、対応するｐＨ値の酸化還元電位基準値を超えるときには前記還元剤を注入する一方、前記酸化還元電位基準値以下となるときには還元剤の注入を終了する還元工程とを含むことを特徴とする。
【００１６】
また、本発明の請求項９に係る還元処理方法は、上述した請求項８において、前記還元工程で還元剤の注入を終了した後、前記反応槽内の溶液を中和する中和処理工程を含むことを特徴とする。
【００１７】
また、本発明の請求項１０に係る還元処理方法は、上述した請求項７〜９のいずれか一つにおいて、前記酸化性溶液は、ｐＨによって解離状態が変化する酸化剤を含有した酸化性溶液であることを特徴とする。
【００１８】
また、本発明の請求項１１に係る還元処理方法は、上述した請求項１０において、前記酸化性溶液に含まれる酸化剤は、次亜塩素酸ナトリウムであることを特徴とする。
【００１９】
また、本発明の請求項１２に係る還元処理方法は、上述した請求項７〜１１のいずれか一つにおいて、前記酸化性溶液は、膜により被処理水を濾過する装置の膜の洗浄に使用された洗浄液の排水であることを特徴とする。
【発明の効果】
【００２０】
本発明の還元処理装置によれば、溶液中の対象となる酸化性残留物質濃度が許容範囲にあることを規定するｐＨ値毎に決められた酸化還元電位基準値を記憶手段に記憶する制御手段が、還元処理指令が与えられた場合に、還元剤注入手段を通じて還元剤を注入させ、かつ必要に応じてｐＨ調整剤注入手段を通じてｐＨ調整剤を注入させることにより溶液のｐＨ値を所定範囲に調整し、ｐＨ調整後の溶液の酸化還元電位値が、記憶手段に記憶する対応するｐＨ値の酸化還元電位基準値を超えるときには還元剤注入手段を通じて還元剤を注入させる一方、前記酸化還元電位基準値以下となるときには還元処理を終了するので、対応するｐＨ値の酸化還元電位基準値を閾値として還元剤を注入させることにより、溶液中の対象となる酸化性残留物質濃度を許容範囲にすることが可能になる。従って、例えば次亜塩素酸ナトリウム等の酸化剤を含有する酸化性溶液のようにｐＨによって解離状態が変化する酸化性溶液に対しても適正な還元剤の注入量で還元処理を良好に行うことができるという効果を奏する。
【００２１】
また、本発明の還元処理装置によれば、溶液中の対象となる酸化性残留物質濃度が許容範囲にあることを規定するｐＨ値毎に決められた酸化還元電位基準値を記憶手段に記憶する制御手段が、還元処理指令が与えられた場合に、還元剤注入手段を通じて還元剤を注入させ、還元剤注入後に検出された溶液の酸化還元電位値およびｐＨ値と、記憶手段に記憶する酸化還元電位基準値とを比較して、検出された酸化還元電位値が、対応するｐＨ値の酸化還元電位基準値を超えるときには還元剤注入手段を通じて還元剤を注入させる一方、酸化還元電位基準値以下となるときには還元処理を終了するので、対応するｐＨ値の酸化還元電位基準値を閾値として還元剤を注入させることにより、溶液中の対象となる酸化性残留物質濃度を許容範囲にすることが可能になる。従って、例えば次亜塩素酸ナトリウム等の酸化剤を含有する酸化性溶液のようにｐＨによって解離状態が変化する酸化性溶液に対しても適正な還元剤の注入量で還元処理を良好に行うことができるという効果を奏する。
【００２２】
本発明の還元処理方法によれば、調整処理工程において、酸化性溶液に対して還元剤を注入した後に、必要に応じてｐＨ調整剤を注入して該溶液のｐＨ値を所定範囲に調整し、比較処理工程において、調整処理工程後の溶液から検出された酸化還元電位値と、溶液中の対象となる酸化性残留物質濃度が許容範囲にあることを規定するｐＨ毎に決められた酸化還元電位基準値とを比較して、検出された酸化還元電位値が、対応するｐＨ値の酸化還元電位基準値を超えるときには還元剤を注入する一方、酸化還元電位基準値以下となるときには還元剤の注入を終了するので、対応するｐＨ値の酸化還元電位基準値を閾値として還元剤を注入することにより、溶液中の対象となる酸化性残留物質濃度を許容範囲にすることが可能になる。従って、例えば次亜塩素酸ナトリウム等の酸化剤を含有する酸化性溶液のようにｐＨによって解離状態が変化する酸化性溶液に対しても適正な還元剤の注入量で還元処理を良好に行うことができるという効果を奏する。
【００２３】
また、本発明の還元処理方法によれば、注入処理工程において、酸化性溶液に対して還元剤を注入し、還元工程において、注入処理工程後の溶液から検出された酸化還元電位値およびｐＨ値と、溶液中の対象となる酸化性残留物質濃度が許容範囲にあることを規定するｐＨ値毎に決められた酸化還元電位基準値とを比較して、検出された酸化還元電位値が、対応するｐＨ値の酸化還元電位基準値を超えるときには還元剤を注入する一方、酸化還元電位基準値以下となるときには還元剤の注入を終了するので、対応するｐＨ値の酸化還元電位基準値を閾値として還元剤を注入することにより、溶液中の対象となる酸化性残留物質濃度を許容範囲にすることが可能になる。従って、例えば次亜塩素酸ナトリウム等の酸化剤を含有する酸化性溶液のようにｐＨによって解離状態が変化する酸化性溶液に対しても適正な還元剤の注入量で還元処理を良好に行うことができるという効果を奏する。
【発明を実施するための最良の形態】
【００２４】
以下に添付図面を参照して、本発明に係る還元処理装置および還元処理方法の好適な実施の形態について詳細に説明する。尚、以下においては、還元処理装置の実施の形態を中心にして説明し、還元処理方法の実施の形態については、還元処理装置の実施の形態の説明中に適宜説明を行うことにする。
【００２５】
＜実施の形態１＞
図１は、本発明の実施の形態１における還元処理装置の構成を模式的に示す模式図である。ここに例示する還元処理装置は、反応槽１と、還元剤容器２と、第１ｐＨ調整剤容器３と、第２ｐＨ調整剤容器４と、撹拌機構８と、ｐＨ計９と、ＯＲＰ計１０と、制御部（制御手段）２０とを備えて構成してある。
【００２６】
反応槽１は、酸化性溶液を貯留するものである。この反応槽１に貯留される酸化性溶液は、図２に示すような膜濾過装置から供給されたものである。
【００２７】
このような膜濾過装置は、原水槽１３、膜モジュール１４および逆洗ポンプ１７を備えて構成してある。原水槽１３は、例えば河川水や湖沼水等の原水を貯留するためのものである。この原水槽１３に貯留される原水は、供給ポンプ１６の作用によって図示しない供給ラインを通じて膜モジュール１４まで送出される。
【００２８】
膜モジュール１４は、微細孔が形成されてなる膜を有しており、該膜に供給ポンプ１６により送出された原水を通過させることにより濾過するものである。濾過された濾過水は、濾過水槽１５に送出され、該濾過水槽１５に貯留される。
【００２９】
逆洗ポンプ１７は、膜モジュール１４における所定時間の濾過処理後、濾過水槽１５に貯留してある濾過水を逆流させて膜モジュール１４の孔の細孔内および膜面の夾雑物を除去する逆洗処理を行うためのものである。この逆洗ポンプ１７による逆洗処理を行う際には、必要に応じて次亜塩素酸ナトリウム容器１８に収容される次亜塩素酸ナトリウムを、逆洗ポンプ１７の作用により逆流する濾過水に注入して洗浄液として膜モジュール１４を通過させて殺菌を行っている。この逆洗ポンプ１７の逆洗処理に用いられた洗浄液は、膜モジュール１４を通過後、洗浄排水として上記還元処理装置に供給され、酸化性溶液として反応槽１に貯留される。
【００３０】
このように反応槽１に貯留される酸化性溶液は、次亜塩素酸ナトリウムを酸化剤として含有してなるものであるが、本発明はこれに限定されずに種々のものを用いてよく、例えばハロゲン系酸化物等を用いてもよい。
【００３１】
ここで、反応槽１に貯留してある酸化性溶液の特性について述べる。この酸化性溶液には、次亜塩素酸ナトリウムが酸化剤として含有されており、かかる次亜塩素酸ナトリウムは、図３に示すように、ｐＨによって解離状態が変化するもの、すなわちｐＨによって塩素Ｃｌ２、次亜塩素酸ＨＣｌＯ、次亜塩素酸イオンＣｌＯ−と存在形態が変化数するものである。特に、ｐＨ５〜ｐＨ１０付近では、下記式（１）で平衡が成り立っている。
【００３２】
式（１）  ＨＣｌＯ  ⇔  ＣｌＯ−（次亜塩素酸イオン）＋Ｈ＋（水素イオン）
次亜塩素酸（ＨＣｌＯ）は、次亜塩素酸イオン（ＣｌＯ−）と比較して酸化還元電位が高く、そのため遊離塩素濃度が同じであってもｐＨによって、酸化還元電位が異なる。
【００３３】
還元剤容器２は、還元剤を収容するものである。収容される還元剤としては、重亜硫酸ナトリウム、チオ硫酸ナトリウム、アスコルビン酸ナトリウム、エリソルビン酸ナトリウム等が挙げられるが、これらに限定されるものではない。この還元剤容器２には、還元剤注入配管５が接続してある。
【００３４】
還元剤注入配管５は、基端が還元剤容器２に接続してある一方、先端が反応槽１の上面開口を臨む態様で設けてあり、その途中には還元剤注入ポンプ５ａが設けてある。還元剤注入ポンプ５ａは、詳細は後述するが、制御部２０から指令が与えられることにより所定時間駆動して、還元剤を還元剤注入配管５の先端から反応槽１の内部の溶液に注入するためのものである。これにより、還元剤容器２は、還元剤注入配管５および還元剤注入ポンプ５ａとともに、反応槽１に貯留してある酸化性溶液に対して還元剤を注入するための還元剤注入手段を構成している。
【００３５】
第１ｐＨ調整剤容器３は、アルカリ性調整剤を収容するものである。収容されるアルカリ性調整剤としては、苛性ソーダや炭酸水素ナトリウム等が挙げられるが、これらに限定されるものではない。この第１ｐＨ調整剤容器３には、第１ｐＨ調整剤注入配管６が接続してある。
【００３６】
第１ｐＨ調整剤注入配管６は、基端が第１ｐＨ調整剤容器３に接続してある一方、先端が反応槽１の上面開口を臨む態様で設けてあり、その途中には第１ｐＨ調整剤注入ポンプ６ａが設けてある。第１ｐＨ調整剤注入ポンプ６ａは、詳細は後述するが、制御部２０から指令が与えられることにより所定時間駆動して、アルカリ性調整剤を第１ｐＨ調整剤注入配管６の先端から反応槽１の内部の溶液に注入するためのものである。
【００３７】
第２ｐＨ調整剤容器４は、酸性調整剤を収容するものである。収容される酸性調整剤としては、硫酸、塩酸、硝酸等が挙げられるが、これらに限定されるものではない。この第２ｐＨ調整剤容器４には、第２ｐＨ調整剤注入配管７が接続してある。
【００３８】
第２ｐＨ調整剤注入配管７は、基端が第２ｐＨ調整剤容器４に接続してある一方、先端が反応槽１の上面開口を臨む態様で設けてあり、その途中には第２ｐＨ調整剤注入ポンプ７ａが設けてある。第２ｐＨ調整剤注入ポンプ７ａは、詳細は後述するが、制御部２０から指令が与えられることにより所定時間駆動して、酸性調整剤を第２ｐＨ調整剤注入配管７の先端から反応槽１の内部の溶液に注入するためのものである。
【００３９】
撹拌機構８は、反応槽１の内部の液体（溶液）を撹拌するためのものである。ｐＨ計９は、反応槽１の内部の溶液のｐＨ値を検出し、検出したｐＨ値（以下、検出ｐＨ値とも称する）を検出信号として制御部２０に与えるものである。ＯＲＰ計１０は、反応槽１の内部の溶液の酸化還元電位値を検出し、検出した酸化還元電位値（以下、検出ＯＲＰ値とも称する）を検出信号として制御部２０に与えるものである。
【００４０】
図１中の符号１１は、反応槽１の内部の溶液を排出するための排水管であり、符号１２は、開閉することにより排水管１１を通じての溶液の排出を許容、あるいは規制する排水バルブである。
【００４１】
制御部２０は、図４に示すように、設定記憶部２１、入力処理部２２、ｐＨ判断部２３、還元剤注入ポンプ駆動処理部２４、調整剤注入ポンプ駆動処理部２５、比較判断部２６および出力部２７を備えて構成してある。尚、ここで示した制御部２０の構成要素は、本実施の形態の特徴的なものであり、制御部２０は、その他の構成要素を有することはいうまでもない。
【００４２】
設定記憶部２１は、制御部２０が種々の動作を行うのに必要なプログラムやデータを記憶するものであり、本実施の形態では、制御部２０が還元処理制御を行うのに必要な調整ｐＨ情報や酸化還元電位基準値を設定して記憶するためのものである。ここで、調整ｐＨ情報は、反応槽１の内部の酸化性溶液のｐＨを所定範囲に調整するのに必要な情報で、本実施の形態では、排水基準値の範囲として例えば６．５〜７．５の範囲を所定範囲としている。
【００４３】
酸化還元電位基準値は、還元処理制御を行う際に還元処理の終了を判断するのに必要な値で、溶液中の対象となる酸化性残留物質濃度である遊離塩素濃度が許容範囲、例えば０．２ｍｇ／Ｌ以下の範囲にあることを規定するとともに、ｐＨ値毎に決められた酸化還元電位値である。具体的には、ｐＨが７を超える場合（ｐＨ＞７の場合）には酸化還元電位基準値が６３０ｍＶ、ｐＨが６を超える場合（より詳細には６＜ｐＨ≦７の場合）には酸化還元電位基準値が６７０ｍＶとしている。このように設定された酸化還元電位基準値は、次のようにして求められたものである。
【００４４】
図５は、ｐＨ６．５〜７．５における遊離塩素濃度と酸化還元電位値との関係を実験的に求めたものである。この図５に示すように、同じ遊離塩素濃度の場合には、ｐＨ値が低いほど酸化還元電位が高いことが明らかである。そして、遊離塩素濃度が０．２ｍｇ／Ｌ以下となる場合には、ｐＨ値が７のときにはＯＲＰ値が６３０ｍＶ、ｐＨ値が６のときにはＯＲＰ値が６７０ｍＶ、ｐＨ値が８のときにはＯＲＰ値が５７０ｍＶとなり、かかる遊離塩素濃度のときに還元処理を終了するものとして、ｐＨが７を超える場合（ｐＨ＞７の場合）には酸化還元電位基準値が６３０ｍＶ、ｐＨが６を超える場合（より詳細には６＜ｐＨ≦７の場合）には酸化還元電位基準値が６７０ｍＶとしている。
【００４５】
入力処理部２２は、種々の情報を入力処理するものであり、本実施の形態では、特にｐＨ計９からの検出信号（検出ｐＨ値）、並びにＯＲＰ計１０からの検出信号（検出ＯＲＰ値）を入力するものである。
【００４６】
ｐＨ判断部２３は、入力処理部２２を通じて入力した検出ｐＨ値と、設定記憶部２１に記憶する調整ｐＨ情報とを比較して、反応槽１の内部の溶液のｐＨが所定範囲にあるか否かを判断するものである。
【００４７】
還元剤注入ポンプ駆動処理部２４は、還元剤注入ポンプ５ａに対して駆動指令を与えるものである。この駆動指令を与えられた還元剤注入ポンプ５ａは、上述したように所定時間駆動し、これにより、所定量の還元剤が反応槽１の内部に注入される。
【００４８】
調整剤注入ポンプ駆動処理部２５は、第１ｐＨ調整剤注入ポンプ６ａまたは第２ｐＨ調整剤注入ポンプ７ａに対して駆動指令を与えるものである。この駆動指令を与えられた第１ｐＨ調整剤注入ポンプ６ａまたは第２ｐＨ調整剤注入ポンプ７ａは、上述したように所定時間駆動し、これにより、所定量のアルカリ性調整剤または酸化性調整剤が反応槽１の内部に注入される。
【００４９】
比較判断部２６は、入力処理部２２を通じて入力した検出ＯＲＰ値と、設定記憶部２１に記憶する酸化還元電位基準値とを比較して、反応槽１の内部の溶液のＯＲＰ値が対応するｐＨ値の酸化還元電位基準値以下であるか否かを判断するものである。
【００５０】
出力部２７は、比較判断部２６を通じて反応槽１の内部の溶液のＯＲＰ値が酸化還元電位基準値以下であると判断された場合に、還元処理が終了した旨を出力するものである。
【００５１】
図６は、上記制御部が実施する還元処理制御の処理内容を示すフローチャートである。かかる図６を参照しながら、制御部２０が実施する還元処理制御について説明することにより、還元処理装置の動作について説明を行う。
【００５２】
還元処理制御における制御部２０は、還元処理指令が与えられた場合に（ステップＳ１０１：Ｙｅｓ）、還元剤注入ポンプ駆動処理部２４を通じて還元剤注入ポンプ５ａに対して駆動指令を出力する（ステップＳ１０２）。この駆動指令が与えられた還元剤注入ポンプ５ａは、所定時間駆動し、これにより所定量の還元剤が反応槽１の内部に注入されることになる。
【００５３】
そして、注入した還元剤と、反応槽１の内部に貯留された酸化性溶液とを所定時間反応させた後、制御部２０は、入力処理部２２を通じてｐＨ計９からの検出信号、すなわち検出ｐＨ値を入力する（ステップＳ１０３）。
【００５４】
検出ｐＨ値を入力した制御部２０は、ｐＨ判断部２３を通じて、検出ｐＨ値と設定記憶部２１に記憶する調整ｐＨ情報とを比較して、検出ｐＨ値が６．５〜７．５の範囲内にあるか否かを判断し、検出ｐＨ値が６．５〜７．５の範囲内にあれば、入力処理部２２を通じてＯＲＰ計１０からの検出信号、すなわち検出ＯＲＰ値を入力する（ステップＳ１０４：Ｙｅｓ，ステップＳ１０５：Ｙｅｓ，ステップＳ１０６）。
【００５５】
一方、ｐＨ判断部２３を通じて検出ｐＨ値が６．５未満である場合には（ステップＳ１０４：Ｎｏ）、制御部２０は、調整剤注入ポンプ駆動処理部２５を通じて第１ｐＨ調整剤注入ポンプ６ａに対して駆動指令を出力する（ステップＳ１０７）。これにより、第１ｐＨ調整剤注入ポンプ６ａは、所定時間駆動し、所定量のアルカリ性調整剤が反応槽１の内部に注入されることになる。かかるステップＳ１０７の処理を実施した制御部２０は、注入したアルカリ性調整剤と、反応槽１の内部に貯留された溶液とを所定時間反応させた後、手順をステップＳ１０３に戻して、上述したステップＳ１０３以降の処理を繰り返し実施する。
【００５６】
また、ｐＨ判断部２３を通じて検出ｐＨ値が７．５未満である場合には（ステップＳ１０５：Ｎｏ）、制御部２０は、調整剤注入ポンプ駆動処理部２５を通じて第２ｐＨ調整剤注入ポンプ７ａに対して駆動指令を出力する（ステップＳ１０８）。これにより、第２ｐＨ調整剤注入ポンプ７ａは、所定時間駆動し、所定量の酸性調整剤が反応槽１の内部に注入されることになる。かかるステップＳ１０８の処理を実施した制御部２０は、注入した酸性調整剤と、反応槽１の内部に貯留された溶液とを所定時間反応させた後、手順をステップＳ１０３に戻して、上述したステップＳ１０３以降の処理を繰り返し実施する。
【００５７】
上記ステップＳ１０６を実施した制御部２０、すなわち入力処理部２２を通じて検出ＯＲＰ値を入力した制御部２０は、比較判断部２６を通じて、入力した検出ＯＲＰ値と、設定記憶部２１に記憶する酸化還元電位基準値とを比較して、反応槽１の内部の溶液のＯＲＰ値が対応するｐＨ値の酸化還元電位基準値以下であるか否かを判断する。具体的には、制御部２０は、比較判断部２６を通じて、検出ｐＨ値が７を超えている場合には（ステップＳ１０９：Ｙｅｓ）、すなわち検出ｐＨ値が７より大きく７．５以下の場合には、検出ＯＲＰ値が６３０ｍＶ（酸化還元電位基準値）以下であるか否かを判断する（ステップＳ１１０）。
【００５８】
検出ＯＲＰ値が６３０ｍＶ以下の場合には（ステップＳ１１０：Ｙｅｓ）、制御部２０は、出力部２７を通じて還元処理を終了した旨を出力して（ステップＳ１１１）、その後に手順をリターンさせて今回の処理を終了する。これにより、反応槽１の内部の酸化性溶液は、遊離塩素濃度が０．２ｍｇ／Ｌ以下の許容範囲に還元されたことになる。
【００５９】
また、上記ステップＳ１０９において、検出ｐＨ値が７を超えていない場合には（ステップＳ１０９：Ｎｏ）、すなわち検出ｐＨ値が６．５以上７以下の場合には、制御部２０は、比較判断部２６を通じて、検出ＯＲＰ値が６７０ｍＶ（酸化還元電位基準値）以下であるか否かを判断する（ステップＳ１１２）。
【００６０】
検出ＯＲＰ値が６７０ｍＶ以下の場合には（ステップＳ１１２：Ｙｅｓ）、制御部２０は、出力部２７を通じて還元処理を終了した旨を出力して（ステップＳ１１１）、その後に手順をリターンさせて今回の処理を終了する。反応槽１の内部の酸化性溶液は、遊離塩素濃度が０．２ｍｇ／Ｌ以下の許容範囲に還元されたことになる。
【００６１】
一方、ステップＳ１１０において検出ＯＲＰ値が６３０ｍＶを超えている場合（ステップＳ１１０：Ｎｏ）、あるいはステップＳ１１２において検出ＯＲＰ値が６７０ｍＶを超えている場合には（ステップＳ１１２：Ｎｏ）、制御部２０は、手順をステップＳ１０２に戻して、上述したステップＳ１０２以降の処理を繰り返し実施する。これにより、反応槽１の内部の溶液のｐＨ値を所定範囲に維持する態様で還元剤を注入することが可能になる。
【００６２】
このようにして還元処理制御が実施され、反応槽１の酸化性溶液を所望の状態に還元した後に、還元処理装置は、排水バルブ１２を開成させて、排水管１１を通じて反応槽１の内部の溶液を外部に排出する。
【００６３】
以上説明したように、本発明の実施の形態１における還元処理装置によれば、制御部２０が、還元処理指令が与えられた場合に、還元剤を注入させ、かつ必要に応じてｐＨ調整剤（第１ｐＨ調整剤および第２ｐＨ調整剤）を注入させて反応槽１の内部の溶液のｐＨ値を６．５〜７．５の範囲に調整し、ｐＨ調整後の溶液の酸化還元電位値が、設定記憶部２１に記憶する対応するｐＨ値の酸化還元電位基準値を超えるときには還元剤を注入させる一方、酸化還元電位基準値以下となるときには還元処理を終了するので、対応するｐＨ値の酸化還元電位基準値を閾値として還元剤を注入させることにより、溶液中の遊離塩素濃度を０．２ｍｇ／Ｌ以下の許容範囲にすることが可能になる。従って、例えば次亜塩素酸ナトリウム等の酸化剤を含有する酸化性溶液のようにｐＨによって解離状態が変化する酸化性溶液に対しても適正な還元剤の注入量で還元処理を良好に行うことができる。
【００６４】
また、還元処理装置によれば、上述したような還元処理を行うので、予め決められたｐＨ値毎（例えば、ｐＨ値＞７の場合、並びにｐＨ値≦７の場合）に応じて所定量の還元剤を注入させればよく、従来のように基準ｐＨ値に対応した還元剤を注入する必要がないので、還元剤の注入量が必要以上に過大になってしまう虞れがない。また、従来のように補正処理を行う必要がない。従って、処理工程を増大することなく、酸化性溶液に対して適正な還元剤の注入量で還元処理を行うことができる。
【００６５】
更に、還元処理装置によれば、還元剤を注入して反応槽１の内部の溶液のｐＨ値を排水基準値の範囲である例えば６．５〜７．５の範囲に調整して還元処理を行うので、還元処理後の溶液をそのまま排水管１１を通じて排出することができる。
【００６６】
一方、本発明の実施の形態１における還元処理方法によれば、反応槽１の内部の酸化性溶液に対して還元剤を注入して該溶液のｐＨ値を６．５〜７．５の範囲に調整する工程（調整処理工程）と、該工程後の溶液からの検出ＯＲＰ値と、酸化還元電位基準値との比較の結果、検出ＯＲＰ値が対応するｐＨ値の酸化還元電位基準値を超えるときには還元剤を注入する一方、該酸化還元電位基準値以下となるときには還元剤の注入を終了する工程（比較処理工程）とを行うので、対応するｐＨ値の酸化還元電位基準値を閾値として還元剤を注入させることにより、溶液中の遊離塩素濃度を０．２ｍｇ／Ｌ以下の許容範囲にすることが可能になる。従って、例えば次亜塩素酸ナトリウム等の酸化剤を含有する酸化性溶液のようにｐＨによって解離状態が変化する酸化性溶液に対しても適正な還元剤の注入量で還元処理を良好に行うことができる。
【００６７】
また、上記還元処理方法によれば、上記調整処理工程および上記比較処理工程を行うので、還元剤の注入量が必要以上に過大になってしまう虞れがない。また、従来のように補正処理を行う必要がない。従って、処理工程を増大することなく、酸化性溶液に対して適正な還元剤の注入量で還元処理を行うことができる。
【００６８】
更に、還元処理方法によれば、還元剤を注入して反応槽１の内部の溶液のｐＨ値を排水基準値の範囲である例えば６．５〜７．５の範囲に調整するので、還元処理後の溶液をそのまま排水管１１を通じて排出することができる。
【００６９】
＜実施の形態２＞
図７は、本発明の実施の形態２における還元処理装置の構成を模式的に示す模式図である。尚、上述した実施の形態１である還元処理装置と同一の構成を有するものには、同一の符号を付してその説明を省略する。本発明の実施の形態２における還元処理装置は、制御部３０を備えて構成してある。つまり、本実施の形態における還元処理装置は、上述した実施の形態１における還元処理装置と制御部３０が異なっている。
【００７０】
制御部３０は、図８に示すように、設定記憶部３１、入力処理部３２、還元剤注入ポンプ駆動処理部３３、調整剤注入ポンプ駆動処理部３４、比較判断部３５および出力部３６を備えて構成してある。尚、ここで示した制御部３０の構成要素は、本実施の形態の特徴的なものであり、制御部３０は、その他の構成要素を有することはいうまでもない。
【００７１】
設定記憶部３１は、制御部３０が種々の動作を行うのに必要なプログラムやデータを記憶するものであり、本実施の形態では、制御部３０が還元処理制御を行うのに必要な酸化還元電位基準値を設定して記憶するものである。
【００７２】
ここで、酸化還元電位基準値は、還元処理制御を行う際に還元処理の終了を判断するのに必要な値で、溶液中の対象となる酸化性残留物質濃度である遊離塩素濃度が許容範囲、すなわち０．２ｍｇ／Ｌ以下の範囲にあることを規定するとともに、ｐＨ値毎に決められた酸化還元電位値である。具体的には、ｐＨが８を超える場合（ｐＨ＞８の場合）には酸化還元電位基準値が５７０ｍＶ、ｐＨが７を超える場合（より詳細には７＜ｐＨ≦８の場合）には酸化還元電位基準値が６３０ｍＶ、ｐＨが６を超える場合（より詳細には６＜ｐＨ≦７の場合）には酸化還元電位基準値が６７０ｍＶとしている。このように設定された酸化還元電位基準値は、図５に示したように、遊離塩素濃度が０．２ｍｇ／Ｌ以下となる場合には、ｐＨ値が７のときにはＯＲＰ値が６３０ｍＶ、ｐＨ値が６のときにはＯＲＰ値が６７０ｍＶ、ｐＨ値が８のときにはＯＲＰ値が５７０ｍＶとなり、かかる遊離塩素濃度のときに還元処理を終了するものとして、ｐＨが８を超える場合（ｐＨ＞８の場合）には酸化還元電位基準値が５７０ｍＶ、ｐＨが７を超える場合（７＜ｐＨ≦８の場合）には酸化還元電位基準値が６３０ｍＶ、ｐＨが６を超える場合（より詳細には６＜ｐＨ≦７の場合）には酸化還元電位基準値が６７０ｍＶとしている。
【００７３】
入力処理部３２は、種々の情報を入力処理するものであり、本実施の形態では、特にｐＨ計９からの検出信号（検出ｐＨ値）、並びにＯＲＰ計１０からの検出信号（検出ＯＲＰ値）を入力するものである。
【００７４】
還元剤注入ポンプ駆動処理部３３は、還元剤注入ポンプ５ａに対して駆動指令を与えるものである。この駆動指令を与えられた還元剤注入ポンプ５ａは、上述したように所定時間駆動し、これにより、所定量の還元剤が反応槽１の内部に注入される。
【００７５】
調整剤注入ポンプ駆動処理部３４は、第１ｐＨ調整剤注入ポンプ６ａまたは第２ｐＨ調整剤注入ポンプ７ａに対して駆動指令を与えるものである。この駆動指令を与えられた第１ｐＨ調整剤注入ポンプ６ａまたは第２ｐＨ調整剤注入ポンプ７ａは、上述したように所定時間駆動し、これにより、所定量のアルカリ性調整剤または酸化性調整剤が反応槽１の内部に注入される。
【００７６】
比較判断部３５は、入力処理部３２を通じて入力した検出ＯＲＰ値が、設定記憶部３１に記憶する酸化還元電位基準値以下であるか否かを判断するものである。
【００７７】
出力部３６は、比較判断部３５を通じて反応槽１の内部の溶液のＯＲＰ値が酸化還元電位基準値以下であると判断された場合に、還元処理が終了した旨を出力するものである。
【００７８】
図９は、上記制御部が実施する還元処理制御の処理内容を示すフローチャートである。かかる図９を参照しながら、制御部３０が実施する還元処理制御について説明することにより、還元処理装置の動作について説明を行う。
【００７９】
還元処理制御における制御部３０は、還元処理指令が与えられた場合に（ステップＳ２０１：Ｙｅｓ）、還元剤注入ポンプ駆動処理部３３を通じて還元剤注入ポンプ５ａに対して駆動指令を出力する（ステップＳ２０２）。この駆動指令が与えられた還元剤注入ポンプ５ａは、所定時間駆動し、これにより所定量の還元剤が反応槽１の内部に注入されることになる。
【００８０】
そして、注入した還元剤と、反応槽１の内部に貯留された酸化性溶液とを所定時間反応させた後、制御部３０は、入力処理部３２を通じてｐＨ計９からの検出信号、すなわち検出ｐＨ値、並びにＯＲＰ計１０からの検出信号、すなわち検出ＯＲＰ値を入力する（ステップＳ２０３）。
【００８１】
検出ｐＨ値および検出ＯＲＰ値を入力した制御部３０は、比較判断部３５を通じて、入力した検出ｐＨ値および検出ＯＲＰ値と、設定記憶部３１に記憶する酸化還元電位基準値とを比較して、反応槽１の内部の溶液のＯＲＰ値が対応するｐＨ値の酸化還元電位基準値以下であるか否かを判断する。具体的には、制御部３０は、比較判断部３５を通じて、検出ｐＨ値が８を超えている場合には、検出ＯＲＰ値が５７０ｍＶ以下であるか否かを判断し（ステップＳ２０４：Ｙｅｓ，ステップＳ２０５）、検出ＯＲＰ値が５７０ｍＶ以下の場合には（ステップＳ２０５：Ｙｅｓ）、制御部３０は、出力部３６を通じて還元処理を終了した旨を出力して（ステップＳ２０６）、その後に手順をリターンさせて今回の処理を終了する。これにより、反応槽１の内部の酸化性溶液は、遊離塩素濃度が０．２ｍｇ／Ｌ以下の許容範囲に還元されたことになる。
【００８２】
一方、検出ＯＲＰ値が５７０ｍＶを超えている場合には（ステップＳ２０５：Ｎｏ）、制御部３０は、手順をステップＳ２０２に戻して、上述したステップＳ２０２以降の処理を繰り返し実施する。これにより、反応槽１の内部の溶液に対して還元剤を注入することが可能になる。
【００８３】
ところで、ステップＳ２０３で入力した検出ｐＨ値が７より大きく８以下である場合（７＜ｐＨ値≦８の場合）には、検出ＯＲＰ値が６３０ｍＶ以下であるか否かを判断し（ステップＳ２０４：Ｎｏ，ステップＳ２０７：Ｙｅｓ，ステップＳ２０８）、検出ＯＲＰ値が６３０ｍＶ以下の場合には（ステップＳ２０８：Ｙｅｓ）、制御部３０は、出力部３６を通じて還元処理を終了した旨を出力して（ステップＳ２０６）、その後に手順をリターンさせて今回の処理を終了する。これにより、反応槽１の内部の酸化性溶液は、遊離塩素濃度が０．２ｍｇ／Ｌ以下の許容範囲に還元されたことになる。
【００８４】
検出ＯＲＰ値が６３０ｍＶを超えている場合には（ステップＳ２０８：Ｎｏ）、制御部３０は、手順をステップＳ２０２に戻して、上述したステップＳ２０２以降の処理を繰り返し実施する。これにより、反応槽１の内部の溶液に対して還元剤を注入することが可能になる。
【００８５】
また、ステップＳ２０３で入力した検出ｐＨ値が６より大きく７以下である場合（６＜ｐＨ値≦７の場合）には、検出ＯＲＰ値が６７０ｍＶ以下であるか否かを判断し（ステップＳ２０４：Ｎｏ，ステップＳ２０７：Ｎｏ，ステップＳ２０９：Ｙｅｓ，ステップＳ２１０）、検出ＯＲＰ値が６７０ｍＶ以下の場合には（ステップＳ２１０：Ｙｅｓ）、制御部３０は、出力部３６を通じて還元処理を終了した旨を出力して（ステップＳ２０６）、その後に手順をリターンさせて今回の処理を終了する。これにより、反応槽１の内部の酸化性溶液は、遊離塩素濃度が０．２ｍｇ／Ｌ以下の許容範囲に還元されたことになる。
【００８６】
検出ＯＲＰ値が６７０ｍＶを超えている場合には（ステップＳ２１０：Ｎｏ）、制御部３０は、手順をステップＳ２０２に戻して、上述したステップＳ２０２以降の処理を繰り返し実施する。これにより、反応槽１の内部の溶液に対して還元剤を注入することが可能になる。
【００８７】
上記ステップＳ２０３で入力した検出ｐＨ値が６以下である場合には（ステップＳ２０４：Ｎｏ，ステップＳ２０７：Ｎｏ，ステップＳ２０９：Ｎｏ）、制御部３０は、調整剤注入ポンプ駆動処理部３４を通じて第１ｐＨ調整剤注入ポンプ６ａに対して駆動指令を出力する（ステップＳ２１１）。これにより、第１ｐＨ調整剤注入ポンプ６ａは、所定時間駆動し、所定量のアルカリ性調整剤が反応槽１の内部に注入されることになる。かかるステップＳ２１１の処理を実施した制御部３０は、注入したアルカリ性調整剤と、反応槽１の内部に貯留された溶液とを所定時間反応させた後、手順をステップＳ２０３に戻して、上述したステップＳ２０３以降の処理を繰り返し実施する。これにより、反応槽１の内部の溶液のｐＨ値を上昇させることが可能になる。
【００８８】
このようにして還元処理制御が実施され、反応槽１の酸化性溶液を所望の状態に還元した後に、還元処理装置は、排水バルブ１２を開成させて、排水管１１を通じて反応槽１の内部の溶液を外部に排出する。
【００８９】
以上説明したように、本発明の実施の形態２における還元処理装置によれば、制御部３０が、還元処理指令が与えられた場合に、還元剤を注入させ、還元剤注入後の検出ｐＨ値および検出ＯＲＰ値と、設定記憶部３１に記憶する酸化還元電位基準値とを比較して、検出された酸化還元電位値が、対応するｐＨ値の酸化還元電位基準値を超えるときには還元剤を注入させる一方、酸化還元電位基準値以下となるときには還元処理を終了するので、対応するｐＨ値の酸化還元電位基準値を閾値として還元剤を注入させることにより、溶液中の遊離塩素濃度を０．２ｍｇ／Ｌ以下の許容範囲にすることが可能になる。従って、例えば次亜塩素酸ナトリウム等の酸化剤を含有する酸化性溶液のようにｐＨによって解離状態が変化する酸化性溶液に対しても適正な還元剤の注入量で還元処理を良好に行うことができる。
【００９０】
また、還元処理装置によれば、上述したような還元処理を行うので、予め決められたｐＨ値毎（例えば、ｐＨ値＞８の場合、７＜ｐＨ値≦８の場合、並びに６＜ｐＨ値≦７の場合）に応じて所定量の還元剤を注入すればよく、従来のように基準ｐＨ値に対応した還元剤を注入する必要がないので、還元剤の注入量が必要以上に過大になってしまう虞れがない。また、従来のように補正処理を行う必要がない。従って、処理工程を増大することなく、酸化性溶液に対して適正な還元剤の注入量で還元処理を行うことができる。
【００９１】
一方、本発明の実施の形態２における還元処理方法によれば、反応槽１の内部の酸化性溶液に対して還元剤を注入する工程（注入処理工程）と、該工程後の溶液の検出ＯＲＰ値および検出ｐＨ値と、ｐＨ値毎に決められた酸化還元電位基準値との比較の結果、検出ＯＲＰ値が対応するｐＨ値の酸化還元電位基準値を超えるときには還元剤を注入する一方、該酸化還元電位基準値以下となるときには還元剤の注入を終了する工程（還元工程）とを行うので、対応するｐＨ値の酸化還元電位基準値を閾値として還元剤を注入させることにより、溶液中の遊離塩素濃度を０．２ｍｇ／Ｌ以下の許容範囲にすることが可能になる。従って、例えば次亜塩素酸ナトリウム等の酸化剤を含有する酸化性溶液のようにｐＨによって解離状態が変化する酸化性溶液に対しても適正な還元剤の注入量で還元処理を良好に行うことができる。
【００９２】
また、上記還元処理方法によれば、上記注入処理工程および上記還元工程を行うので、還元剤の注入量が必要以上に過大になってしまう虞れがない。また、従来のように補正処理を行う必要がない。従って、処理工程を増大することなく、酸化性溶液に対して適正な還元剤の注入量で還元処理を行うことができる。
【００９３】
以上、本発明の好適な実施の形態について説明したが、本発明はこれらに限定されるものではなく、種々の変更を行うことができる。例えば、上記実施の形態２においては、還元処理制御を行った後に、制御手段（制御部３０）は、検出された酸化還元電位値が対応するｐＨ値の酸化還元電位基準値以下となる場合には、すなわち還元処理制御を行った場合には、反応槽内の溶液を中和する処理を適宜行ってもよい。
【産業上の利用可能性】
【００９４】
以上のように、本発明に係る還元処理装置および還元処理方法は、例えば次亜塩素酸ナトリウム等の酸化剤を含有してなる酸化性溶液、すなわちｐＨによって解離状態が変化する酸化性溶液に対し、還元剤を注入することにより該溶液の還元処理を行うのに有用である。
【図面の簡単な説明】
【００９５】
【図１】本発明の実施の形態１における還元処理装置の構成を模式的に示す模式図である。
【図２】図１に示した還元処理装置に酸化性溶液を供給する膜濾過装置の構成を模式的に示す模式図である。
【図３】酸化剤である次亜塩素酸ナトリウムのｐＨによる解離状態の変化を示す図表である。
【図４】図１に示した制御部の構成を示すブロック図である。
【図５】ｐＨ６．５〜７．５における遊離塩素濃度と酸化還元電位値との関係を実験的に求めた図表である。
【図６】制御部が実施する還元処理制御の処理内容を示すフローチャートである。
【図７】本発明の実施の形態２における還元処理装置の構成を模式的に示す模式図である。
【図８】図７に示した制御部の構成を示すブロック図である。
【図９】制御部が実施する還元処理制御の処理内容を示すフローチャートである。
【符号の説明】
【００９６】
１          反応槽
２          還元剤容器
５          還元剤注入配管
５ａ        還元剤注入ポンプ
６ａ        第１ｐＨ調整剤注入ポンプ
７ａ        第２ｐＨ調整剤注入ポンプ
９          ｐＨ計
１０        ＯＲＰ計
２０，３０  制御部
２１，３１  設定記憶部
２２，３２  入力処理部
２３        ｐＨ判断部
２４，３３  還元剤注入ポンプ駆動処理部
２５，３４  調整剤注入ポンプ駆動処理部
２６，３５  比較判断部
２７，３６  出力部
【図１】
2009189933.tif 000003
【図２】
2009189933.tif 000004
【図３】
2009189933.tif 000005
【図４】
2009189933.tif 000006
【図５】
2009189933.tif 000007
【図６】
2009189933.tif 000008
【図７】
2009189933.tif 000009
【図８】
2009189933.tif 000010
【図９】
2009189933.tif 000011